(57)【要約】【課題】色板により指針の所在区間を表示する指針パネルの調整可能式警告表示構造を提供する。【解決手段】指針パネルの調整可能式警告表示構造は、指針式計量メーター2の透明パネル21上に第二結合体211を設置し、第二結合体211は警告表示装置1を結合させることができ、警告表示装置1は板体11を備え、計量メーター2上の第二結合体211に連結し、板体11は色を備える透明材料により製造することが好ましく、警告表示装置1を計量メーター2の指針22と透明パネル21前縁に結合することで、警告表示装置1は色を備える板体11を利用するため、指針22が安全区間にある、或いは危険区間にあることを目視で知ることができる。【選択図】図１
0003175168.tif 000002
【実用新案登録請求の範囲】
【請求項１】
指針パネルの調整可能式警告表示構造は、計量メーター、警告表示装置を備え、
前記計量メーターは、内部に指針を設置し、指針上には、透明パネルを設置し、前記透明パネル上には、第二結合体を設置し、
前記警告表示装置は、板体を備え、前記板体上には、第一結合体を設置し、前記第一結合体と前記第二結合体とを結合させることで、前記警告表示装置を、前記計量メーターの透明パネル外部に組み合わせることを特徴とする指針パネルの調整可能式警告表示構造。
【請求項２】
前記板体は、扇形を呈することを特徴とする請求項１に記載の指針パネルの調整可能式警告表示構造。
【請求項３】
前記板体は、色を備える透明材料により製造することを特徴とする請求項１或いは２に記載の指針パネルの調整可能式警告表示構造。
【請求項４】
前記第一結合体は、凹槽を備え、しかも前記第二結合体は、凸ブロックであることを特徴とする請求項１に記載の指針パネルの調整可能式警告表示構造。
【請求項５】
前記第二結合体は、前記透明パネルの中心位置に位置することを特徴とする請求項１に記載の指針パネルの調整可能式警告表示構造。
【請求項６】
前記第一結合体は、前記板体の角位置に位置することを特徴とする請求項５に記載の指針パネルの調整可能式警告表示構造。
【考案の詳細な説明】
【技術分野】
【０００１】
本考案は指針パネルの調整可能式警告表示構造に関し、特に指針式計量メーターの安全指示用警告表示装置で、色板により指針の所在区間を表示することができる指針パネルの調整可能式警告表示構造に関する。
【背景技術】
【０００２】
差圧ゲージ或いは圧力ゲージなどの従来の計量メーターでは、そのメーター内に、指示針を備える。
指示針は、圧力の状態に応じて動き、メーター内の数字目盛り板に対応し、人員は数値を目視で読み取ることができる。
【０００３】
実務上、指針が安全範囲内にあるかどうか、或いは既に危険数値に達しているかどうかを人員が知ることができるよう、計量メーターには安全数値或いは危険数値が設定されている。
従来の計量メーターの数字目盛り板上には、異なる色の区域が予め設置されているが、これら予め設置する方式の警告表示目盛り板は、現場の必要に応じて、数値或いは区域を任意に調整することができず、実用に当って不便であるという欠点がある。
【０００４】
よって、カラーテープにより臨海値を標記し、或いはカラーペンにより透明パネル上に記号を書くなどして、計量メーター上に、警告標記を付加する使用者もいる。
この種の標記方式は、任意に調整できるという長所を備えてはいるが、見た目が美しくなく、脱落する恐れがあるという欠点がある。
本考案は、従来の指針パネルの調整可能式警告表示構造の上記した欠点に鑑み、理想的な警告表示装置を開発するためになされたものである。
【考案の概要】
【考案が解決しようとする課題】
【０００５】
本考案が解決しようとする第一の課題は、計量メーターの指針と透明パネル前端に、少なくとも一色を備える透明板体を設置し、指針が透明板体に対応する位置を目視することで、指針の数値が安全区間にある、或いは危険区間に入っていることを目視で知ることができ、こうして即時に設備を調整し、安全を維持できる警告表示装置である指針パネルの調整可能式警告表示構造を提供することである。
本考案が解決しようとする第二の課題は、現場の必要に応じて自ら調整でき、警告表示用としての、現場のニーズを随時満たすことができる警告表示装置である指針パネルの調整可能式警告表示構造を提供することである。
【課題を解決するための手段】
【０００６】
上記課題を解決するため、本考案は下記の指針パネルの調整可能式警告表示構造を提供する。
指針パネルの調整可能式警告表示構造は、好ましくは、警告表示装置は、板体、及び板体一端縁に位置する第一結合体を備え、
好ましくは、該板体はやや、扇形を呈し、
好ましくは、該板体は、色を備える透明材料により製造し、
好ましくは、該板体を、安全区間の表示用に用いる時には、その色を、緑色或いは青色等の比較的柔和で、しかも大多数の人が安全の象徴と認知する色彩とし、
好ましくは、該板体を、危険区間の警告表示用とする時には、その色を、赤色或いは黄色等の比較的強烈で、しかも大多数の人が危険の象徴と認知する色彩とし、
好ましくは、該第一結合体は、該板体の角位置に位置し、
好ましくは、該計量メーターは、円形を呈し、該計量メーターには、透明パネルを設置し、該透明パネル内部には、指針を設置し、該透明パネル前縁には、第二結合体を設置し、該第二結合体は、該警告表示装置の第一結合体を結合させられ、
好ましくは、該第二結合体は、透明パネル中心に位置し、
該警告表示装置の第一結合体を、該計量メーターの第二結合体上に嵌めて設置し、該板体を該透明パネル上に重ねて設置すれば設置は完成し、
好ましくは、該第一結合体は、凹槽を備え、該第二結合体は、凸ブロックである。
【考案の効果】
【０００７】
本考案の指針パネルの調整可能式警告表示構造は、計量メーターの指針と透明パネル前端に、少なくとも一色を備える透明板体を設置し、指針が透明板体に対応する位置を目視することで、指針の数値が安全区間にある、或いは危険区間に入っていることを目視で知ることができ、こうして即時に設備を調整し、安全を維持でき、また本考案は、現場の必要に応じて自ら調整でき、警告表示用としての、現場のニーズを随時満たすことができる。
【図面の簡単な説明】
【０００８】
【図１】本考案の立体分解図である。
【図２】本考案の警告表示装置を計量メーターに結合する立体外観図である。
【図３】本考案調整時の立体模式図である。
【考案を実施するための形態】
【０００９】
以下に図面を参照しながら本考案を実施するための最良の形態について詳細に説明する。
【実施例】
【００１０】
図１、２に示すように、本考案指針パネルの調整可能式警告表示構造は、警告表示装置1、計量メーター2を備える。
【００１１】
警告表示装置1は、板体11、及び板体11角に位置する第一結合体12を備え、第一結合体12中には、凹槽121を設置する。
板体11は、やや扇形を呈し、板体11は、色を備える透明材料により製造することが好ましい。
板体11を、安全区間の表示用とする時には、その色を、緑色或いは青色等の柔和で、しかも大多数の人が安全の象徴と認知する色彩とする。
板体11を、危険区間の表示用とする時には、その色を、黄色或いは赤色等の比較的強烈で、しかも大多数の人が危険の象徴と認知する色彩とする。
【００１２】
計量メーター2は、円形を呈し、計量メーター2には、透明パネル21を設置し、透明パネル21内には、指針22を設置する。
透明パネル21中心には、第二結合体211を設置し、第二結合体211は、第一結合体12結合の作用を提供する。
【００１３】
本考案実施時には、警告表示装置1の第一結合体12を、計量メーター2の第二結合体211上に嵌めて設置し、警告表示装置1と第二結合体211との連結関係を形成する。
最後に、板体11を、透明パネル21上に重ねて設置する。
【００１４】
板体11の扇形面積は、必要な区間の範囲に合わせて、予め設計して製造し、しかも多種の異なる面積のものを複数配置し、ニーズに応えることができる。
【００１５】
実施時に、安全区間と危険区間を同時に表示する必要がある場合には、２種の異なる色の警告表示装置1を組み合わせて設置することができる。
単一区間の表示のみを必要とする場合には、安全区間と危険区間の内の何れかを用いればよい。
【００１６】
図３に示すように、本考案の警告表示装置1は、計量メーター2の透明パネル21上で任意に動かすことができ、これにより現場の必要に応える。
【００１７】
本考案の板体11は、色を備える透明材料により製造するため、それを計量メーター2前縁に重ねると、計量メーター2の指針22が移動すれば、使用者は、指針22が板体11の範囲内に入っているか否かを目視でき、数値が安全区間にある、或いは危険区間にあることを迅速に知ることができ、非常に便利である。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２０】
１      警告表示装置
１１    板体
１２    第一結合体
１２１  凹槽
２      計量メーター
２１    透明パネル
２１１  第二結合体
２２    指針
【図１】
0003175168.tif 000003
【図２】
0003175168.tif 000004
【図３】
0003175168.tif 000005